(57)【要約】【課題】  オーディオ信号を変速再生する際に、音程を変えることなく、また、構成を簡略化しながらもオーディオ信号への悪影響を最小限に抑える。【解決手段】  ステップＳ１でオーディオ信号を記録時とは異なる再生速度で変速再生し、ステップＳ２で再生されたオーディオ信号が音声か音楽かに応じてＯＬＡ（オーバーラップ加算）処理の分割周期Ｔａ、オーバーラップ部分の長さＴｂ、オーバーラップ部分の繰り返し周期Ｔｃを決定する。ステップＳ３で、再生されたオーディオ信号を時間Ｔａのブロックに分割し、ステップＳ４で一のブロックの終端部分と次のブロックの先端部分とを時間Ｔｂでオーバーラップさせてクロスフェード処理を行うことにより連結する。再生オーディオ信号が音声の場合に、時間Ｔｃを０．０５秒以上、時間Ｔｂを０．０１秒〜０．０５秒とし、再生オーディオ信号が音楽の場合に、時間Ｔａを０．０５秒以下とする。【選択図】  図３
2005266571.tif 000002
【特許請求の範囲】
【請求項１】
記録媒体に記録されたオーディオ信号を記録時とは異なる再生速度で再生する再生工程と、
上記再生されたオーディオ信号を記録時間軸上で分割周期としての第１の時間Ｔａのブロックに分割する分割工程と、
上記分割された一のブロックの終端部分と次のブロックの先端部分とを記録時間軸上の第２の時間Ｔｂでオーバーラップさせ、各オーバーラップ部分でクロスフェード処理を行うことにより連結する連結工程とを有し、
上記オーディオ信号が音声信号の場合に、上記オーバーラップ部分の繰り返し周期である第３の時間Ｔｃ（Ｔｃ＝Ｔａ−Ｔｂ）を０．０５秒以上とし、上記オーバーラップ部分の第２の時間Ｔｂを０．０１秒〜０．０５秒とし、
上記オーディオ信号が音楽信号の場合に、上記分割周期である第１の時間Ｔａを０．０５秒以下とすること
を特徴とするオーディオ信号の変速再生方法。
【請求項２】
上記再生されたオーディオ信号が音声信号及び音楽信号を含むとき、あるいは音声信号か音楽信号かを区別できないとき、
上記オーバーラップ部分の繰り返し周期である第３の時間Ｔｃ（Ｔｃ＝Ｔａ−Ｔｂ）を０．０２５秒以上とし、上記オーバーラップ部分の第２の時間Ｔｂを０．００５秒〜０．０２５秒とすること
を特徴とする請求項１記載の変速再生方法。
【請求項３】
上記再生されたオーディオ信号が音声信号か音楽信号かを判別する判別工程を有し、
この判別工程により判別されたオーディオ信号の種類に応じて上記各時間Ｔａ〜Ｔｃを切り換えること
を特徴とする請求項１記載の変速再生方法。
【請求項４】
上記再生速度が上記記録時の速度の１．３倍のとき、
上記オーディオ信号が音声信号の場合に、上記オーバーラップ部分の繰り返し周期である第３の時間Ｔｃを０．１１１秒とし、上記オーバーラップ部分の第２の時間Ｔｂを０．０３３秒とし、
上記オーディオ信号が音楽信号の場合に、上記分割周期である第１の時間Ｔａを０．０２４秒とし、上記オーバーラップ部分の第２の時間Ｔｂを０．００５３秒とすること
を特徴とする請求項１記載の変速再生方法。
【請求項５】
記録媒体に記録されたオーディオ信号を記録時とは異なる再生速度で再生する再生手段と、
上記再生されたオーディオ信号を記録時間軸上で分割周期としての第１の時間Ｔａのブロックに分割し、上記分割された一のブロックの終端部分と次のブロックの先端部分とを記録時間軸上の第２の時間Ｔｂでオーバーラップさせ、各オーバーラップ部分でクロスフェード処理を行うことにより連結する制御手段とを有し、
上記制御手段は、上記オーディオ信号が音声信号の場合に、上記オーバーラップ部分の繰り返し周期である第３の時間Ｔｃ（Ｔｃ＝Ｔａ−Ｔｂ）を０．０５秒以上とし、上記オーバーラップ部分の第２の時間Ｔｂを０．０１秒〜０．０５秒とし、上記オーディオ信号が音楽信号の場合に、上記分割周期である第１の時間Ｔａを０．０５秒以下とすること
を特徴とするオーディオ信号の変速再生装置。
【請求項６】
上記制御手段は、上記再生されたオーディオ信号が音声信号及び音楽信号を含むとき、あるいは音声信号か音楽信号かを区別できないとき、上記オーバーラップ部分の繰り返し周期である第３の時間Ｔｃ（Ｔｃ＝Ｔａ−Ｔｂ）を０．０２５秒以上とし、上記オーバーラップ部分の第２の時間Ｔｂを０．００５秒〜０．０２５秒とすること
を特徴とする請求項５記載の変速再生装置。
【請求項７】
上記制御手段は、上記再生されたオーディオ信号が音声信号か音楽信号かを判別し、判別されたオーディオ信号の種類に応じて上記各時間Ｔａ〜Ｔｃを切り換えること
を特徴とする請求項５記載の変速再生装置。
【請求項８】
上記制御手段は、上記再生速度が上記記録時の速度の１．３倍のとき、上記オーディオ信号が音声信号の場合に、上記オーバーラップ部分の繰り返し周期である第３の時間Ｔｃを０．１１１秒とし、上記オーバーラップ部分の第２の時間Ｔｂを０．０３３秒とし、上記オーディオ信号が音楽信号の場合に、上記分割周期である第１の時間Ｔａを０．０２４秒とし、上記オーバーラップ部分の第２の時間Ｔｂを０．００５３秒とすること
を特徴とする請求項５記載の変速再生装置。
【請求項９】
記録媒体に記録されたオーディオ信号を記録時とは異なる再生速度で再生制御する再生工程と、
上記再生されたオーディオ信号の種類を示す属性情報を検出する属性検出工程と、
上記再生されたオーディオ信号を記録時間軸上で分割周期としての第１の時間Ｔａのブロックに分割する分割工程と、
上記分割された一のブロックの終端部分と次のブロックの先端部分とを記録時間軸上の第２の時間Ｔｂでオーバーラップさせ、各オーバーラップ部分でクロスフェード処理を行うことにより連結する連結工程とを有し、
上記検出された属性情報に応じて、上記分割周期である第１の時間Ｔａ及び上記オーバーラップ部分の第２の時間Ｔｂを切換制御すること
を特徴とする変速再生方法。
【請求項１０】
コンピュータに、
記録媒体に記録されたオーディオ信号を記録時とは異なる再生速度で再生制御する手順と、
上記再生されたオーディオ信号を記録時間軸上で分割周期としての第１の時間Ｔａのブロックに分割する手順と、
上記分割された一のブロックの終端部分と次のブロックの先端部分とを記録時間軸上の第２の時間Ｔｂでオーバーラップさせ、各オーバーラップ部分でクロスフェード処理を行うことにより連結する手順と
を実行させるためのプログラムであって、
上記オーディオ信号が音声信号の場合に、上記オーバーラップ部分の繰り返し周期である第３の時間Ｔｃ（Ｔｃ＝Ｔａ−Ｔｂ）を０．０５秒以上とし、上記オーバーラップ部分の第２の時間Ｔｂを０．０１秒〜０．０５秒とし、
上記オーディオ信号が音楽信号の場合に、上記分割周期である第１の時間Ｔａを０．０５秒以下とすること
を特徴とするプログラム。
【発明の詳細な説明】
【技術分野】
【０００１】
本発明は、音声や楽音等のオーディオ信号の音程を変えずに標準速度（記録速度）とは異なる再生速度で再生を行うような変速再生方法及び装置、並びにプログラムに関する。
【背景技術】
【０００２】
光ディスクや磁気ディスク、磁気テープ等の記録媒体から再生するときの再生速度を、記録時の（標準の）速度とは異ならせる場合に、オーディオ信号の音程を変えることなく再生速度を変換する技術が知られている。これは、例えば、テレビジョン放送番組等をハードディスク等の記録媒体に録画し、ニュース等を早見再生したい場合に、音程が変わると聞きにくいことから、早見再生しても音程が変化しないようにすることが望まれ、このような用途に、変速再生しても音程を変えない技術が用いられるものである。
【０００３】
この音程を変えずに再生速度を可変する技術の一例としては、変速再生されて得られた時間領域のディジタルオーディオデータを一旦周波数領域のデータに変換し、周波数軸上で記録時の音程に戻すような処理等を行った後、再び時間領域のデータに逆変換する技術がある。このような周波数領域での処理を伴う技術においては、時間領域と周波数領域との間の変換及び逆変換のためのＤＣＴ（離散コサイン変換）、ＭＤＣＴ（改良ＤＣＴ）、ＤＦＴ（離散フーリエ変換）等の演算処理が必要とされ、処理が複雑化し、演算量も増えるため、より簡易的な技術として、非特許文献１や特許文献１に示すように、時間領域でデータ処理を行うものが知られている。これは、記録媒体から記録時異なる再生速度で再生して得られたオーディオ信号を、一定の時間毎のブロックに分割し、一のブロックの終端部分と次のブロックの先端部分とをオーバーラップさせ、各オーバーラップ部分でクロスフェード処理を行いながら連結すること（オーバーラップ加算：ＯＬＡ）により、滑らかに繋ぎ合わせている。
【０００４】
すなわち、図４の（Ａ）のような元の（記録時の）オーディオ信号に対して、記録時間軸上の第１の時間Ｔａ毎にブロック分割し、図４の（Ｂ）に示すように、各ブロックＡ，Ｂ，Ｃ，・・・の端部を記録時間軸上の第２の時間Ｔｂだけオーバーラップさせ、クロスフェード処理しながら連結する。このとき、ブロックＡの終端側の時間Ｔｂの部分ｒと、次のブロックＢの先端側の時間Ｔｂの部分ｆとがオーバーラップされ（重ね合わされ）、ブロックＡの終端部分ｒがフェードアウト（徐々に減衰）し、次のブロックＢの先端部分ｆがフェードイン（徐々に増大）するように、ブロックＡとブロックＢとが繋ぎ合わされる。このとき、オーバーラップ部分は第３の時間Ｔｃ（Ｔｃ＝Ｔａ−Ｔｂ）を繰り返し周期として繰り返し得られ、記録時間Ｔａが時間Ｔｃに圧縮されることになる。これによって、音程を変えることなく、記録時よりも高速のＴａ／Ｔｃ倍の再生速度で再生されることになる。
【０００５】
【非特許文献１】小川要、「デジタルフィルタ  ソフトウェアによるオーディオデジタル信号処理のレシピ、PART３  特殊な信号処理、ＯＬＡ」、Ｃ MAGAZINE、ソフトバンクパブリッシング株式会社、２００２年３月号、ｐ．３５−３６
【特許文献１】特開平８−２８７６１２号公報
【発明の開示】
【発明が解決しようとする課題】
【０００６】
ところで、上述のように再生信号を時間領域においてブロック分割し端部をオーバーラップさせてクロスフェードしながら繋ぎ合わせるような技術においては、次のような問題点がある。
【０００７】
すなわち、上記オーバーラップ部分は、元の記録時のオーディオ信号波形が重なり合うため、聴感上のゆがみとなる。全体的に良好な聴感を保つためには、分割周期とオーバーラップ部分の大きさを調整していく必要があるが、オーバーラップ部分が繰り返されることにより音程感が生じ、元の記録時のオーディオ信号に対し不快な音程差等を生じる原因となる。
【０００８】
また、一定の時間短縮率により、分割周期の大きさからオーバーラップ部分の大きさが必然的に決まるが、分割周期を大きくし、その結果オーバーラップ部分が大きくなると、人間の音声等では、子音が損なわれたり、発音の開始タイミングに矛盾を生じることになり、良好な音声再生が行えなくなる。
【０００９】
本発明は、このような従来の実情に鑑みて提案されたものであり、記録時とは異なる再生速度で再生しても音程を変えることなく、いわゆるオーバーラップ加算（ＯＬＡ）のような簡易的な技術を用いながら、音声や音楽への悪影響を最小限に抑えることができるような変速再生方法及び装置、並びにプログラムを提供することを目的とする。
【課題を解決するための手段】
【００１０】
上述の課題を解決するために、本発明は、記録媒体に記録されたオーディオ信号を記録時とは異なる再生速度で再生し、再生されたオーディオ信号を記録時間軸上で分割周期としての第１の時間Ｔａのブロックに分割し、分割された一のブロックの終端部分と次のブロックの先端部分とを記録時間軸上の第２の時間Ｔｂでオーバーラップさせ、各オーバーラップ部分でクロスフェード処理を行うことにより連結するようにし、オーディオ信号が音声信号の場合に、上記オーバーラップ部分の繰り返し周期である第３の時間Ｔｃ（Ｔｃ＝Ｔａ−Ｔｂ）を０．０５秒以上とし、上記オーバーラップ部分の第２の時間Ｔｂを０．０１秒〜０．０５秒とし、オーディオ信号が音楽信号の場合に、上記分割周期である第１の時間Ｔａを０．０５秒以下とすることを特徴とする。
【００１１】
ここで、上記再生されたオーディオ信号が音声信号及び音楽信号を含むとき、あるいは音声信号か音楽信号かを区別できないとき、オーバーラップ部分の繰り返し周期である第３の時間Ｔｃ（Ｔｃ＝Ｔａ−Ｔｂ）を０．０２５秒以上とし、オーバーラップ部分の第２の時間Ｔｂを０．００５秒〜０．０２５秒とすることが挙げられる。
【００１２】
また、再生されたオーディオ信号が音声信号か音楽信号かを判別し、判別されたオーディオ信号の種類に応じて各時間Ｔａ〜Ｔｃを切り換えることが好ましい。
【００１３】
また、再生速度が記録時の速度の１．３倍のとき、オーディオ信号が音声信号の場合に、オーバーラップ部分の繰り返し周期である第３の時間Ｔｃを０．１１１秒とし、オーバーラップ部分の第２の時間Ｔｂを０．０３３秒とし、オーディオ信号が音楽信号の場合に、分割周期である第１の時間Ｔａを０．０２４秒とし、オーバーラップ部分の第２の時間Ｔｂを０．００５３秒とすることが好ましい。
【発明の効果】
【００１４】
本発明によれば、変速再生されるオーディオ信号が音声信号の場合には、オーバーラップ部分の繰り返し周期（第３の時間）Ｔｃを０．０５秒以上とすることにより、オーバーラップ部分の繰り返しによる基本周波数成分は２０Ｈｚ以下となり、人間の通常の肉声の音声信号の帯域である８５Ｈｚ〜８ｋＨｚから外れているため、音声への悪影響が少なく、低域をあまり強調する必要がないＢＧＭ（バックグラウンドミュージック）に対しても影響が少ないと共に、オーバーラップ部分の時間（第２の時間）Ｔｂを０．０１秒〜０．０５秒とすることにより、オーバーラップ部分をクロスフェードするときの減衰曲線が急になることによる波形歪を抑えながら、オーバーラップ部分で前後のブロックの時間関係が逆転する影響を少なくできる。また、変速再生されるオーディオ信号が音楽信号の場合には、分割周期である第１の時間Ｔａを０．０５秒以下としているため、音楽のテンポ感が良好に保たれる。さらに、変速再生されるオーディオ信号が音声信号か音楽信号か等の種類あるいはジャンルを示す属性に応じて、それぞれ適切な各時間Ｔａ〜Ｔｃが設定されるため、それぞれのオーディオ信号の性質を有効に保った変速再生が実現可能となる。
【発明を実施するための最良の形態】
【００１５】
以下、本発明を適用した具体的な実施の形態について、図面を参照しながら詳細に説明する。
【００１６】
図１は、本発明の実施の形態に用いられる変速再生装置を概略的に示すブロック図である。この図１において、記録媒体としてのハードディスク装置１１は、インターフェース（Ｉ／Ｆ）回路１２を介してバス１３に接続されている。このバス１３には、ビデオ信号圧縮符号化／復号のための例えばＭＰＥＧエンコード／デコード回路１４、オーディオ信号圧縮符号化／復号等を行うためのオーディオ処理回路２１、上述したＯＬＡ（オーバーラップ加算）等を行うためのＩＯ（入出力）プロセッサ２２等が接続され、ＩＯプロセッサ２２にはバッファメモリ２３が接続されている。オーディオ処理回路２１からのＰＣＭ（パルスコード変調）信号や、ＳＰＤＩＦ（Sony Philips digital interface）信号はオーディオミキサ２４に送られ、オーディオミキサ２４からのＰＣＭ信号はＤ／Ａ変換器２５でアナログ信号に変換されて端子２６に送られ、オーディオミキサ２４からのＳＰＤＩＦ信号は端子２７に送られている。
【００１７】
図２は、上記図１の変速再生装置のオーディオ信号系をより詳細に示したブロック図であるが、オーディオ信号のみを記録再生する装置の場合には、図２の構成のみでもよく、この場合、図２は、オーディオ信号の変速再生に用いて好適な変速再生装置の一例を示すブロック図となる。
【００１８】
この図２において、記録媒体としてのハードディスク装置１１は、インターフェース（Ｉ／Ｆ）回路１２に接続され、インターフェース回路１２は、誤り訂正エンコード／デコード回路３１及びシステムコントローラ４１に接続されている。誤り訂正エンコード／デコード回路３１は、音声圧縮エンコード／デコード回路３２に接続されており、音声圧縮エンコード／デコード回路３２からのディジタルオーディオ信号は、メモリコントローラ３３を介してＤ／Ａ変換器３５に送られ、アナログ信号に変換されて出力端子３６より取り出される。メモリコントローラ３３には、バッファメモリ３４が接続されている。また、入力端子３８からのアナログオーディオ信号がＡ／Ｄ変換器３７でディジタル信号に変換されて音声圧縮エンコード／デコード回路３２に送られる。
【００１９】
図２のシステムコントローラ４１は、マイクロコンピュータを搭載して構成されており、全体の動作を管理している。このシステムコントローラ４１は、キー群４２からキー入力信号が与えられる。このキー群４２は、電源キー、イジェクトキー、再生キー、一時停止キー、停止キー、録音キー、早送り再生キー、早戻し再生キーなどを備える。
【００２０】
また、オーディオ信号のみの変速再生装置の場合に、システムコントローラ４１には、ディスプレイ４３を接続することが好ましい。このディスプレイ４３には、装着された小型光ディスクの総演奏時間、演奏中の曲の経過時間、再生中の曲の残り演奏時間、全体の残りの演奏時間等の時間情報や、演奏中の曲のトラックナンバ等が表示される。また、ディスクネームやトラックネームが記録されているディスクでは、ディスクネームやトラックネームが表示される。さらに、曲やディスクの記録日時が記録されていれば記録日時が表示される。
【００２１】
なお、図１に示したように、ビデオ信号を記録再生する変速再生装置の場合には、ビデオ信号を表示するためのビデオディスプレイ装置（図示せず）が接続されるから、このビデオディスプレイ装置に上記演奏時間等の情報を表示するようにすればよく、図２の構成を図１の変速再生装置のオーディオ信号系として用いる場合には、図２のディスプレイ４３は不要となる。
【００２２】
また、図２のシステムコントローラ４１には、再生オーディオ信号が音声信号か、音楽信号か等の種類（ジャンル）を示す属性情報として、後述するＥＰＧ（電子プログラムガイド）のジャンル情報等を検出するＥＰＧ検出回路４５が接続されている。
【００２３】
オーディオ信号の記録時には、入力端子３８に供給されたアナログオーディオ信号がＡ／Ｄ変換器３７でディジタル信号に変換され、音声圧縮エンコード／デコード回路３２に送られて音声圧縮符号化処理が施され、誤り訂正エンコード／デコード回路３１に送られる。誤り訂正エンコード／デコード回路３１で、誤り訂正用のパリティが付加され、ハードディスク用のインターフェース回路１２を介してハードディスク装置１１に記録される。なお、ディジタルテレビジョン放送のように予め圧縮符号化がされたデータの場合には、そのまま、あるいは必要とされる信号処理のみを施して、インターフェース回路１２を介してハードディスク装置１１に記録される。
【００２４】
オーディオ信号の再生時には、上記記録時と逆の処理がなされるわけであるが、特に記録時と異なる再生速度、例えば記録時よりも高速の再生速度で再生を行う場合について、以下説明する。
【００２５】
変速再生時に、例えば録画したテレビジョン放送番組を早見再生する場合のような高速再生時に、図２のシステムコントローラ４１は、ハードディスク装置１１より、通常再生時の速度（記録速度）よりも高速に、あるいは高いレートでデータを読み出し、誤り訂正エンコード／デコード回路３１で誤り訂正処理を施し、音声圧縮エンコード／デコード回路３２で、圧縮符号化されたオーディオ信号の伸張復号処理を施すように制御する。この音声圧縮エンコード／デコード回路３２からのオーディオ信号は、時間領域の信号となっており、メモリコントローラ３３を介してバッファメモリ３４に一時的に記憶させている。システムコントローラ４１は、バッファメモリ３４からオーディオ信号を読み出す際に、上記図４の（Ｂ）に示したように、一のブロックの終端部分ｒと、次のブロックの先端部分ｆとが時間的に重なるように（オーバーラップするように）読み出して、一のブロックの終端部分ｒをフェードアウト（徐々に減衰）させ、次のブロックの先端部分ｆがフェードイン（徐々に増大）させながら、いわゆるクロスフェードさせながら、一のブロックと次のブロックとを加算混合（ミキシング）することにより、一のブロックと次のブロックとを滑らかに繋ぎ合わせている。図４の（Ｂ）では、例えばブロックＢの終端部分ｒをフェードアウトさせ、次のブロックＣの先端部分ｆをフェードインさせてミキシングし、ブロックＢとブロックＣとを滑らかに連結している。
【００２６】
ここで、再生されたオーディオ信号のブロック分割周期としての記録時間軸上での第１の時間をＴａとし、分割された一のブロックの終端及び次のブロックの先端でのオーバーラップ部分の記録時間軸上の第２の時間をＴｂとするとき、オーバーラップ部分は第３の時間Ｔｃ（Ｔｃ＝Ｔａ−Ｔｂ）を周期として繰り返されることになり、記録時の第１の時間Ｔａのデータが第３の時間Ｔｃに圧縮されて再生されたことになる。この場合の再生速度は、記録時の速度（標準再生速度）のＴａ／Ｔｃ倍である。
【００２７】
再生されるオーディオ信号が人の音声（speech sound）である場合には、上記オーバーラップ部分の繰り返し周波数（１／Ｔｃ）が、一般に有効とされる音声帯域（例えば８５Ｈｚ〜８ｋＨｚ）から外れていることが望ましく、また、倍音による影響も小さくしたいことを考慮し、１／Ｔｃを２０Ｈｚ以下、すなわち、第３の時間Ｔｃを０．０５秒以上とする。この場合、オーバーラップ部分の繰り返しによる基本周波数成分が２０Ｈｚ以下となり、倍音の２〜３次高調波程度までは、音声帯域の下限、例えば８５Ｈｚよりも低くなるため、音声帯域に与える悪影響を極力小さく抑えることができる。また、オーバーラップ部分の長さである第２の時間Ｔｂについては、短かすぎるとクロスフェードのための減衰曲線が急峻となり、ブロック端部のオーディオ信号波形を歪ませる影響が無視できなくなることを考慮して、０．０１秒以上とし、長すぎると、前のブロックの終端で発生した音が次のブロックの先端で発生した音よりも遅れることによる時間の逆転現象が聴感上無視できなくなることを考慮し、０．０５秒以下とした。このように、オーバーラップ部分の長さである第２の時間Ｔｂを０．０１秒〜０．０５秒とすることにより、ブロック端部での波形の歪も少なく、オーバーラップ部分での時間の逆転現象も聴感上問題ない程度に抑えられる。なお、この音声信号の場合、ブロック分割周期である第１の時間Ｔａは、Ｔａ＝Ｔｃ＋Ｔｂより、０．０６秒以上となる。
【００２８】
これに対して、音楽番組等を早見再生するような、再生されるオーディオ信号が主として音楽（music）の場合には、上記音声信号の場合の各時間Ｔａ〜Ｔｃ等の設定では、音楽のテンポ感が損なわれる。すなわち、音楽の場合には、音符の長さが正確に再現されることが重要であり、上記音声信号のように分割周期Ｔａが０．０６秒以上もあると、上記分割ブロックの長さが最短の音符の時間に近付いたり最短の音符よりも長くなったりするため、オーバーラップ加算すると音符の長さが不正確となり、テンポ感あるいはリズム感が乱されることになる。この点を考慮して、音楽信号の場合のブロック分割周期（第１の時間）Ｔａを、０．０５秒以下としている。また、オーバーラップ部分の長さ（第２の時間）Ｔｂについては、再生速度が何倍速かによるが、例えば１．３倍速再生の場合には、第２の時間Ｔｂは０．１２秒以下となる。このように、第１の時間Ｔａや第２の時間Ｔｂを短くする場合に、オーバーラップ部分の繰り返し周波数による低域や中域の周波数帯域への影響や、オーバーラップ部分での波形歪による高域周波数を含む音質への影響が無視できなくなるが、音楽信号を上述したようなＯＬＡ（オーバーラップ加算）によって処理する場合には何らかの音質への影響は避けられないことから、音楽番組等を早見再生するような場合には曲のテンポ感あるいはリズム感が保たれることが最も重要である点を考慮し、上述のように、第１の時間Ｔａを０．０５秒以下としたものである。
【００２９】
また、音楽バラエティ番組やミュージカル等のように音声と音楽とが混在しいずれも重要な場合や、音声か音楽かの判別がつきにくいような場合には、上記各時間Ｔａ〜Ｔｃとしては、上記音声の場合と音楽の場合の中間的な値に設定することが好ましい。この点を考慮し、再生されたオーディオ信号が音声信号及び音楽信号を含むとき、あるいは音声信号か音楽信号かを区別できないとき、オーバーラップ部分の繰り返し周期である第３の時間Ｔｃを０．０２５秒以上とし、オーバーラップ部分の長さである第２の時間Ｔｂを０．００５秒〜０．０２５秒とするようにしている。
【００３０】
このように、早見再生等により高速再生される番組の種類あるいはジャンルにより、オーディオ信号をＯＬＡ（オーバーラップ加算）処理するときの各時間Ｔａ〜Ｔｃの適切な値が異なることを考慮し、番組の種類あるいはジャンルにより各時間Ｔａ〜Ｔｃを切換制御することが好ましい。具体的には、人間が再生される番組等の種類やジャンルを判断して、図２のキー群４２を手動操作することにより、システムコントローラ４１に各時間Ｔａ〜Ｔｃの値を切り換え制御させることが挙げられる。また、テレビジョン放送番組のいわゆるＥＰＧ（電子プログラムガイド）を得ることができる場合には、図２のＥＰＧ検出回路４５により、ＥＰＧ情報中の番組の種類やジャンルを示す属性情報を抽出し、これをシステムコントローラ４１に送ることにより、各時間Ｔａ〜Ｔｃの値を切換制御するようにしてもよい。
【００３１】
次に、本発明の実施の形態を、ビデオ信号のいわゆるハードディスクレコーダ等に適用する場合に、撮り溜めたテレビジョン放送番組等を早見再生する用途が考えられ、この場合の再生速度は２倍程度までであるが、さらに番組内容をある程度楽しめるような再生速度としては、１．３〜１．５倍速程度が考えられる。以下に具体例として、再生速度を記録時の速度（標準再生速度）の１．３倍とした場合のベストチューニングの各時間Ｔａ〜Ｔｃの例を挙げる。
【００３２】
標準の１．３倍速で再生されたオーディオ信号が音声信号の場合、オーバーラップ部分の繰り返し周期である第３の時間Ｔｃを０．１１１秒とし、オーバーラップ部分の長さである第２の時間Ｔｂを０．０３３秒とする。このとき、オーバーラップ部分の繰り返しによる基本周波数成分は約９Ｈｚとなり、人間の音声の帯域である８５Ｈｚ〜８ｋＨｚの最低域よりも十分に低いため、数次程度の高調波も含めて、音声への悪影響が少なく、低域をあまり強調する必要がないＢＧＭ（バックグラウンドミュージック）に対しても影響が少ない。また、オーバーラップ部分の長さ（第２の時間）Ｔｂは０．０３３秒であるため、オーバーラップ部分をクロスフェードするときの減衰曲線が急になることによる波形歪を抑えながら、オーバーラップ部分で前後のブロックの時間関係が逆転する影響を少なくできる。
【００３３】
標準の１．３倍速で再生されたオーディオ信号が音楽信号の場合には、ブロック分割周期である第１の時間Ｔａを０．０２４秒とし、オーバーラップ部分の長さである第２の時間Ｔｂを０．００５３秒とする。ここで、テンポの非常に速い曲として、一分間に四分音符で２５０（Ｍ．Ｍ．＝２５０）程度の曲を想定する場合、四分音符の長さが０．２４秒であり、一六分音符でも０．０６秒であるから、ブロック分割周期が０．０２４秒であれば、四分音符は１０個程度のブロックに分割され、１６分音符でも２〜３個程度のブロックに分割され、ＯＬＡ（オーバーラップ加算）によるテンポ感あるいはリズム感の乱れは殆ど感じられないものとなる。
【００３４】
従って、図２のシステムコントローラ４１は、人間がジャンルを判断してキー群４２を操作することに応じて、あるいはＥＰＧ検出回路４５からのジャンル情報に応じて、上記オーディオ信号をＯＬＡ（オーバーラップ加算）処理するときの各時間Ｔａ〜Ｔｃを切換制御しており、高速再生される番組がニュースやドラマ等の音声信号が重要とされるジャンルの場合には、オーバーラップ部分の繰り返し周期である第３の時間Ｔｃを０．１１１秒に、オーバーラップ部分の長さである第２の時間Ｔｂを０．０３３秒に切換制御し、また、高速再生される番組が音楽番組等の音楽信号が重要なジャンルの場合には、分割周期である第１の時間Ｔａを０．０２４秒に、オーバーラップ部分の長さである第２の時間Ｔｂを０．００５３秒に切換制御する。
【００３５】
これによって、高速再生される番組のオーディオ信号に最適なＯＬＡ（オーバーラップ加算）処理が行われ、簡単な構成にも拘わらず音程を変えずに良好なオーディオ信号を聴取できる。
【００３６】
次に、図３は本発明の実施の形態となる変速再生方法の動作を説明するためのフローチャートである。この図３において、ステップＳ１で変速再生、例えば上述した早見再生により、オーディオ信号を標準再生速度（記録速度）よりも高速（例えば１．３倍速）で再生する。
【００３７】
次のステップＳ２では、高速再生された信号の種類やジャンルに応じて、例えばオーディオ信号が音声を主体とするものか音楽を主体とするものかに応じて、上記各時間Ｔａ，Ｔｂ，Ｔｃを決定する。具体的に、例えば１．３倍の早見再生の場合においては、図２のシステムコントローラ４１により、音声信号の場合はオーバーラップ部分の繰り返し周期（第３の時間Ｔｃ）を０．１１１秒に、オーバーラップ部分の長（第２の時間Ｔｂ）を０．０３３秒に切換制御し、また、音楽信号の場合には、分割周期（第１の時間Ｔａ）を０．０２４秒に、オーバーラップ部分の長さ（第２の時間Ｔｂ）を０．００５３秒に切換制御する。一般的には、再生オーディオ信号が音声信号の場合に、オーバーラップ部分の繰り返し周期である第３の時間Ｔｃを０．０５秒以上とし、オーバーラップ部分の長さである第２の時間Ｔｂを０．０１秒〜０．０５秒とし、再生オーディオ信号が音楽信号の場合に、上記分割周期である第１の時間Ｔａを０．０５秒以下とする。また、再生されたオーディオ信号が音声信号及び音楽信号を含むとき、あるいは音声信号か音楽信号かを区別できないとき、オーバーラップ部分の繰り返し周期である第３の時間Ｔｃを０．０２５秒以上とし、オーバーラップ部分の長さである第２の時間Ｔｂを０．００５秒〜０．０２５秒とする。
【００３８】
次のステップＳ３では、ブロック分割周期である記録時間軸上の第１の時間Ｔａ毎にオーディオ信号をブロック分割し、次のステップＳ４で、各ブロックの端部を記録時間軸上のそれぞれ第２の時間Ｔｂだけオーバーラップさせると共にクロスフェード処理して連結する。
【００３９】
上述したような本発明の実施の形態によれば、変速再生されるオーディオ信号が音声信号の場合には、オーバーラップ部分の繰り返しによる基本周波数成分は十分に低くなり、人間の音声の帯域である８５Ｈｚ〜８ｋＨｚから外れているため、音声への悪影響が少なく、低域をあまり強調する必要がないＢＧＭ（バックグラウンドミュージック）に対しても影響が少ないと共に、オーバーラップ部分をクロスフェードするときの減衰曲線が急になることによる波形歪を抑えながら、オーバーラップ部分で前後のブロックの時間関係が逆転する影響を少なくできる。また、変速再生されるオーディオ信号が音楽信号の場合には、音楽のテンポ感が良好に保たれる。さらに、変速再生されるオーディオ信号が音声信号及び音楽信号を含むとき、あるいは音声信号か音楽信号かを区別できないときには、音声への影響もある程度抑えながら、音楽のテンポ感も適度に保たれるような再生が行える。このように、変速再生されるオーディオ信号が音声信号か音楽信号か等の種類あるいはジャンルを示す属性に応じて、それぞれ適切な各時間Ｔａ〜Ｔｃが設定されるため、それぞれのオーディオ信号の性質を良好に保った変速再生が実現可能となる。
【００４０】
なお、本発明は上述した実施の形態のみに限定されるものではなく、本発明の要旨を逸脱しない範囲において種々の変更が可能であることは勿論である。
【図面の簡単な説明】
【００４１】
【図１】本発明の実施の形態となる変速再生装置の概略構成を示すブロック図である。
【図２】本発明の実施の形態における変速再生装置のオーディオ信号系の構成例を示すブロック図である。
【図３】本発明の実施の形態となる変速再生方法を説明するためのフローチャートである。
【図４】音声を変えずに変速再生するためのＯＬＡ（オーバーラップ加算）の技術を説明するための説明図である。
【符号の説明】
【００４２】
１１  ハードディスク装置、  １２  インターフェース（Ｉ／Ｆ）回路、  １４  ＭＰＥＧエンコード／デコード回路、  ２１  オーディオ処理回路、  ２２  ＩＯ（入出力）プロセッサ、  ２３  バッファメモリ、  ３１  誤り訂正エンコード／デコード回路、  ３２  音声圧縮エンコード／デコード回路、  ３３  メモリコントローラ、  ３４  バッファメモリ、  ４１  システムコントローラ、  ４２  キー群、  ４３  ディスプレイ、  ４５  ＥＰＧ検出回路
【図１】
2005266571.tif 000003
【図２】
2005266571.tif 000004
【図３】
2005266571.tif 000005
【図４】
2005266571.tif 000006